【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成部と、
前記画像形成部で画像が形成された記録媒体を画像が形成された面を上にして排出するように搬送するための第１の搬送路と、
前記画像形成部で画像が形成された記録媒体を画像が形成された面を下にして排出するように搬送するための、前記第１の搬送路とは搬送経路が異なる第２の搬送路と、を有し、
前記第２の搬送路には、前記記録媒体の搬送方向に直交する方向に所定間隔をもって隣りあって配設された第１と第２のローラ部材とを有する搬送ローラを有し、
前記記録媒体を前記第１の搬送路または前記第２の搬送路のいずれへ搬送させるかを切り替える切替部と、
前記記録媒体の搬送方向と直交する方向のサイズが前記搬送ローラの前記第１と前記第２のローラ部材間の間隔よりも小さい場合は、前記記録媒体の搬送路として前記第２の搬送路への搬送が指定されている場合であっても、前記記録媒体を前記第１の搬送路へ搬送させる制御部と、
を有することを特徴とする画像形成装置。
【請求項２】
前記制御部は、前記記録媒体の搬送方向と直交する方向のサイズが前記搬送ローラの前記第１と前記第２のローラ部材の間隔よりも小さい場合に、前記記録媒体のサイズが画像形成装置に適合しないサイズであることを示す情報を表示することを特徴とする請求項１に記載の記載の画像形成装置。
【請求項３】
前記制御部は、
前記第２搬送路には、複数の前記搬送ローラが設けられており、
前記記録媒体の搬送方向のサイズが複数の前記搬送ローラの間隔よりも小さい場合に、前記記録媒体の搬送路として前記第２の搬送路への搬送が指定されている場合であっても、前記記録媒体を前記第１の搬送路へ搬送させることを特徴とする請求項１または２に記載の画像形成装置。
【請求項４】
前記制御部は、前記記録媒体の搬送方向のサイズが複数の前記搬送ローラの間隔よりも小さい場合に、前記記録媒体のサイズが画像形成装置に適合しないサイズであることを示す情報を表示することを特徴とする請求項３に記載の画像形成装置。
【請求項５】
前記記録媒体の搬送方向に直交する方向のサイズを検知するサイズ検知手段を有し、
前記サイズ検知手段で検知したサイズが搬送ローラの前記第１と前記第２のローラ部材間の間隔よりも小さい場合に、前記記録媒体が前記切替部に到達する前に、前記記録媒体の搬送路を前記第２の搬送路から前記第１の搬送路に切り替えることを特徴とする請求項１に記載の画像形成装置。
【手続補正２】
【補正対象書類名】明細書
【補正対象項目名】００１３
【補正方法】変更
【補正の内容】
【００１３】
上記目的を達成するための本発明の画像形成装置は、記録媒体に画像を形成する画像形成部と、前記画像形成部で画像が形成された記録媒体を画像が形成された面を上にして排出するように搬送するための第１の搬送路と、前記画像形成部で画像が形成された記録媒体を画像が形成された面を下にして排出するように搬送するための、前記第１の搬送路とは搬送経路が異なる第２の搬送路と、を有し、前記第２の搬送路には、前記記録媒体の搬送方向に直交する方向に所定間隔をもって隣りあって配設された第１と第２のローラ部材とを有する搬送ローラを有し、前記記録媒体を前記第１の搬送路または前記第２の搬送路のいずれへ搬送させるかを切り替える切替部と、前記記録媒体の搬送方向と直交する方向のサイズが前記搬送ローラの前記第１と前記第２のローラ部材間の間隔よりも小さい場合は、前記記録媒体の搬送路として前記第２の搬送路への搬送が指定されている場合であっても、前記記録媒体を前記第１の搬送路へ搬送させる制御部と、を有することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１７
【補正方法】変更
【補正の内容】
【００１７】
また、本発明の他の態様によれば、記録紙Ｓの搬送方向のサイズが本体に適合しない旨を正確にユーザへ報知することが出来る。
【手続補正６】
【補正対象書類名】明細書
【補正対象項目名】００１８
【補正方法】変更
【補正の内容】
【００１８】
また、本発明の他の態様によれば、記録紙Ｓの搬送路としてＦＤ搬送路が指定されている場合であっても、記録紙Ｓの搬送方向に直交する方向のサイズ（幅）がＦＤ搬送路におけるローラ部材間の距離のうち最大のものよりも短い場合は、ＦＵ搬送路にて記録紙Ｓを搬送させるので、ローラ間で記録紙Ｓが詰まって滞留し、それによるユーザのわずらわしさ（例えば、詰まった記録紙Ｓを取り除くジャム処理を行うこと）を防止することが出来る。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
また、本発明の他の態様によれば、記録紙Ｓの搬送路としてＦＤ搬送路が指定されている場合であっても、記録紙Ｓの搬送方向のサイズ（長さ）と記録紙Ｓの搬送方向に直交する方向のサイズ（幅）に応じて、ＦＵ搬送路を選択して記録紙Ｓを搬送させるので、ローラ間で記録紙Ｓが詰まって滞留し、それによるユーザのわずらわしさ（例えば、詰まった記録紙Ｓを取り除くジャム処理を行うこと）を防止することが出来る。
【手続補正９】
【補正対象書類名】明細書
【補正対象項目名】００２１
【補正方法】変更
【補正の内容】
【００２１】
また、本発明の他の態様によれば、記録紙Ｓの搬送方向のサイズ（長さ、幅）が本体１０１に適合しない旨を正確にユーザへ報知することが出来る。
【手続補正１０】
【補正対象書類名】明細書
【補正対象項目名】００２２
【補正方法】削除
【補正の内容】
【手続補正１１】
【補正対象書類名】明細書
【補正対象項目名】００３０
【補正方法】変更
【補正の内容】
【００３０】
定着器１０９の搬送方向下流には記録紙Ｓの有無を検知する定着センサ１１０、定着器１０９によりトナー像が定着された記録紙Ｓを排紙する搬送ローラ１１１、搬送ローラ１１１の搬送方向下流にて記録紙Ｓをフェイスアップ（以下、ＦＵ）又はフェイスダウン（以下、ＦＤ）で本体１０１から排出するための反転搬送部２００が設けられている。
【手続補正１２】
【補正対象書類名】明細書
【補正対象項目名】００３７
【補正方法】変更
【補正の内容】
【００３７】
また、図１の２１３は反転フラッパであり、記録紙Ｓが通過していないときはバネ等によって付勢力が与えられて所定の位置に先端が位置しており、記録紙Ｓの通過時には記録紙Ｓに押されて先端が所定の位置とは異なる位置となる。そして、記録紙Ｓの後端が通過した後は再び所定の位置となる。この反転フラッパ２１３により、図２のＣ点からＢ点に搬送させる記録紙Ｓが誤ってＡ点方向に搬送されることが無いようにすることができる。
【手続補正１３】
【補正対象書類名】明細書
【補正対象項目名】００６１
【補正方法】変更
【補正の内容】
【００６１】
そして、ＦＤ搬送路を搬送させる記録紙Ｓの搬送方向のサイズＳＬがローラ間の搬送方向の距離であるＬ１、Ｌ２、Ｌ３のいずれか１つよりも短い場合には、ローラ間で記録紙Ｓの受け渡しを行うことができずに、ＦＤ搬送路上で記録紙Ｓが搬送できない状態となってしまう。
【手続補正１４】
【補正対象書類名】明細書
【補正対象項目名】００９２
【補正方法】変更
【補正の内容】
【００９２】
それに対し、第２の実施形態は、エンジンコントローラ１２６が、記録紙Ｓの搬送方向に直交する方向のサイズ（幅）を計測することにより、記録紙Ｓの搬送路としてＦＤ搬送路が指定されている場合であっても、記録紙Ｓの搬送方向に直交する方向のサイズ（幅）がＦＤ搬送路におけるローラ部材間の搬送方向に直交する方向の距離のうち最大のものよりも短い場合はＦＵ搬送路にて記録紙Ｓを搬送させるものである。
【手続補正１５】
【補正対象書類名】図面
【補正対象項目名】図２
【補正方法】変更
【補正の内容】
【図２】
2005022870.tif 000001
【手続補正１６】
【補正対象書類名】図面
【補正対象項目名】図５
【補正方法】変更
【補正の内容】
【図５】
2005022870.tif 000002
【手続補正１７】
【補正対象書類名】図面
【補正対象項目名】図６
【補正方法】変更
【補正の内容】
【図６】
2005022870.tif 000003